(57)【特許請求の範囲】
【請求項１】
図柄表示装置と、その図柄表示装置の上方に位置する入賞口と、がそれぞれ遊技盤に配置され、前記遊技盤の裏面側には、前記入賞口に流入したパチンコ球を前記遊技盤の下方に誘導する球流路が形成された樋部材が配置されたパチンコ機であって、
前記樋部材は、上下に分割された上樋部材と下樋部材とを備え、
前記上樋部材には、前記図柄表示装置の後側を覆って保護するカバー部が形成され、
前記カバー部の後面には、上端部が前記入賞口に臨みかつ同入賞口に流入したパチンコ球を前記図柄表示装置を乗り越えて下方へ流下案内する上球流路を構成する樋部が一体的に形成され、
前記下樋部材には、前記上球流路の下端出口を通過したパチンコ球を受け入れる球受け部を上端に有しかつその球受け部において受けたパチンコ球を流下案内する下球流路が設けられ、
しかも、前記下球流路の球受け部は、前記上球流路の下端出口の直下に対応する部分から前記遊技盤の裏面にわたる開口部を有していることを特徴とするパチンコ機。
【発明の詳細な説明】
【０００１】
【産業上の利用分野】
この発明は、遊技盤の裏面に球誘導樋が設置されたパチンコ機に関する。
【０００２】
【従来の技術】
パチンコ機において、その遊技盤の裏面に組付けられる球誘導樋は、遊技盤面に取付けられた各種入賞装置の入賞口に落入して遊技盤の裏面側へ転動した入賞球を遊技盤の下方の所定位置へ誘導する目的で設置される。
なお、従来技術としては例えば実公平５−２２１６号公報がある。
【０００３】
【発明が解決しようとする課題】
本発明は、図柄表示装置が裏面に取付けられた遊技盤において、図柄表示装置の回路基板を保護した状態で樋部材をコンパクトに設置することを課題とするものである。
【０００４】
【課題を解決するための手段】
この発明の請求項１に係るパチンコ機は、図柄表示装置と、その図柄表示装置の上方に位置する入賞口と、がそれぞれ遊技盤に配置され、前記遊技盤の裏面側には、前記入賞口に流入したパチンコ球を前記遊技盤の下方に誘導する球流路が形成された樋部材が配置されたパチンコ機であって、
前記樋部材は、上下に分割された上樋部材と下樋部材とを備え、
前記上樋部材には、前記図柄表示装置の後側を覆って保護するカバー部が形成され、
前記カバー部の後面には、上端部が前記入賞口に臨みかつ同入賞口に流入したパチンコ球を前記図柄表示装置を乗り越えて下方へ流下案内する上球流路を構成する樋部が一体的に形成され、
前記下樋部材には、前記上球流路の下端出口を通過したパチンコ球を受け入れる球受け部を上端に有しかつその球受け部において受けたパチンコ球を流下案内する下球流路が設けられ、
しかも、前記下球流路の球受け部は、前記上球流路の下端出口の直下に対応する部分から前記遊技盤の裏面にわたる開口部を有していることを特徴とする。
【０００５】
【作用】
したがって、請求項１に係るパチンコ機によれば、上樋部材のカバー部によって図柄表示装置の後側が覆われて保護される。
また、図柄表示装置の上方に位置する入賞口に流入したパチンコ球は、上樋部材の上球通路に案内されて流下してその下端出口から放出される。
上球通路の下端出口から放出されたパチンコ球は、下樋部材に設けられた下球流路上端の球受け部において受けられた後、同下球流路によって流下案内されるため、前記パチンコ球を所望位置へ誘導することができる。
【０００６】
【発明の効果】
この発明によれば、上下に分割された上樋部材と下樋部材とを備えた樋部材によって、遊技盤の裏面側へ送り込まれたパチンコ球を的確かつ円滑に所望位置へ誘導する機能と、図柄表示装置を防護する機能とを併有させることができる。
【０００７】
【実施例】
次に、本発明の１実施例を図面にしたがって説明する。
パチンコ機に遊技盤１において、その遊技盤面１ａにはその上部に配設された天入賞装置７Ａと、遊技盤面１ａの下部に配設された大入賞装置７Ｂと、この大入賞装置７Ｂの斜め上方および上方に配設された下左入賞装置７Ｃ、下中入賞装置７Ｄ、下右入賞装置７Ｅとが装着されている。
【０００８】
遊技盤１の裏面１ｂの中央部付近にはゲームに関連する各種の図柄情報を表示する図柄表示装置２がその背面部を遊技盤１の後方へ凸出させた状態で装着されている。
【０００９】
遊技盤１の裏面１ｂの中央部付近には入賞口に落入して遊技盤面１ａ側から裏面１ｂ側へ転動したパチンコ球を遊技盤１の下方へ誘導する透明合成樹脂製の球誘導樋３が装着されている。
【００１０】
遊技盤１の中央部付近にはそれぞれほぼ角孔状に形成されて横一列に配列された３つの図柄表示装置用の透孔４が開設されている。
【００１１】
遊技盤１の裏面１ｂには左端の透孔の透孔４および右端の透孔４の若干上方および若干下方にそれぞれ配設されて横長の楕円孔状にそれぞれ形成された左右２対の図柄表示体用位置決め孔５が凹設されている。
【００１２】
遊技盤１の裏面１ｂには左下および右下の図柄表示体用位置決め孔５の若干斜め下方にそれぞれ配設されて横長の楕円孔状にそれぞれ形成された左右１対の球誘導樋用位置決め孔６が凹設されている。
【００１３】
図柄表示装置２のベース枠８は横長の方形枠状に形成され、ステープルによって遊技盤１の裏面１ｂにその後方へ若干突出した状態で固定されている。
【００１４】
図柄表示装置２のベース枠８には扁平な角筒状の枠部８ａが形成され、この枠部８ａの上面および下面の左右端部には上方乃至下方に突出された左右２対の取付け片８ｂが形成されている。
【００１５】
ベース枠８の各取付け片８ｂの前面には遊技盤１の図柄表示装置用位置決め孔５内にそれぞれ嵌め込まれて図柄表示装置２を遊技盤１に対して位置決めする位置決め片８ｃが突設されるとともに、各位置決め片８ｂの後面にはこの後面と、枠部８ａの上面乃至下面とにそれぞれ連接されて後方へ水平状に延出された左右２対の角柱状の基板取付け片８ｄが突設されている。
【００１６】
ベース枠８の枠部８ａの後端には遊技盤１の裏面１ｂの若干後方に垂立された状態で遊技盤１の背後に設置されて枠部８ａ内の後端に嵌め込まれた前回路基板９の四隅部がビス止めされるとともに、ベース枠８の各基板取付け片８ｄの後端付近には前回路基板９の後方に間隙を隔てて垂立された状態で前回路基板９の背後に設置され、横幅が前回路基板９の横幅より縮小された後回路基板１０の４隅部がそれぞれビス止めされている。
【００１７】
前回路基板９のプリント回路と、後回路基板１０のプリント回路とは前回路基板９の後面に水平状および垂直状に取付けられた３つの前コネクタ１１と、後回路基板１０の前面に取付けられて各前コネクタ１１にそれぞれ解離可能に結合された３つの後コネクタ１２とによって接続されている。
【００１８】
前回路基板９の前面には２４×１６個の発光素子を有し、前端部が遊技盤１の透孔４内に遊挿された状態で横一列に配列されて前回路基板９のプリント回路にそれぞれ接続された３個の図柄表示ＬＥＤ１３が設置されている。
【００１９】
各図柄表示ＬＥＤ１３の両側には前回路基板９のプリント回路にそれぞれ接続されて縦１列に配列された５個１組の装飾ＬＥＤ１４がそれぞれ設置されている。
【００２０】
中央の図柄表示ＬＥＤ１３の上側には横１列に配列されて前回路基板９のプリント回路に接続された４個の表示ＬＥＤ１５が設置されている。
【００２１】
球誘導樋３は遊技盤１の裏側に図柄表示装置２のベース枠８の各基板取付け片８ｄによって位置決めされて図柄表示装置２の後側にその背面部を避けた状態で設置された上樋部材１８と、この上樋部材１８の下方に間隙を隔てて設置された下樋部材１９とに分割され、上樋部材１８および下樋部材１９はそれぞれ複数個のステープルによって遊技盤１の裏面１ｂに固定されている。
【００２２】
球誘導樋３の上樋部材１８には前方開放のほぼ箱形状のケース部２０ａと、このケース部２０ａの左右側面の前端付近に内端縁付近が連接された状態でケース部２０ａの両側方へ横出されて図柄表示装置２のベース枠８の後端縁に当接され、前回路基板９の左右端部付近の若干後方に垂立状態で設置された左右１対の横出部２０ｂとを有するカバー部２０が形成されるとともに、上樋部材１８にはカバー部２０の後面に連接されてカバー部２０の上方と後側とにわたって図柄表示装置２を迂回した状態で設置され、天入賞装置７Ａの入賞口に落入した入賞球を下方へ誘導する樋部２１が形成されている。
【００２３】
上樋部材１８のカバー部２０の両横出部２０ｂの外端縁にはＬ形状の横断面形状を有し、前端面が遊技盤１の裏面１ｂに当接した状態でこの裏面１ｂに固定された左右１対の固定片２８の基端部が連接されている。
【００２４】
上樋部材１８のカバー部２０のケース部２０ａ内の４つの内隅部には図柄表示装置２のベース枠８の４つの基板取付け片８ｄが、上樋部材１８をベース枠８によって位置決めした状態でそれぞれ装入され、前回路基板９のうちの左右両端部付近を除く部位および後回路基板１０はカバー部２０のケース部２０ａ内に収納され、前回路基板９の左右両端部付近はカバー部２０の両横出部２０ｂによってそれぞれカバーされ、後回路基板１０はケース部２０ａの後端に垂直状に形成された後壁板２２によってカバーされている。
【００２５】
上樋部材１８のカバー部２０の後壁板２２には横２列に配列された多数個の縦長状の放熱孔２２ａが貫設されるとともに、後壁板２２の上端には前回路基板９の後面に取付けられた基板用コネクタに接続されるリード線用コネクタを挿通するためのコネクタ挿通口２２ｂが開口されている。
【００２６】
上樋部材１８の樋部２１の前部には後下り状に傾斜した底板２４ａと、この底板２４ａの両側縁に連接されて並行状に垂立された左右１対の側板２４ｂと、この両側板２４ｂの前端縁の上端に連接されて底板２４ａの前端縁の上方に球入口２１ａを隔てて垂立され、遊技盤１の裏面１ｂに固定された固定片２４ｃとを有し、樋部２１の上端に配設されて天入賞装置７Ａの天入賞口に落入したパチンコ球を後方へ誘導する前側誘導部２４が形成されている。
【００２７】
樋部２１の後部には、外方へ下傾した傾斜状に形成されて内端縁が前誘導部２４の底板２４ａの前端縁の一端の後方に配設された第１樋板２５ａと、この第１樋板２５ａの外端縁に上端縁が連接された状態で垂直状に形成された第２樋板２５ｂと、上部が垂直状で中央部の断面形状が円弧状に形成されて下部が外方へ下傾した傾斜状で第１樋部２５ａの下方に並行状に設置され、上端縁が前記底板２４ａの前端縁の他端の後方に配設された第３樋板２５ｃと、この第３樋板２５ｃの外端縁に上端縁が連接された状態で垂直状に形成され、第２樋板２５ｂの内方に並行状に設置された第４樋板２５ｄと、第１樋板２５ａの後端縁と第３樋板２５ｃの後端縁との隙間および第２樋板２５ｂの後端縁と第４樋板２５ｄの後端縁との隙間が閉塞されるように垂直状態で左右方向に曲折され、各樋板２５ａ〜２５ｄの後端縁に突設された左右３対の係止爪２５ｇによって各樋板２５ａ〜２５ｄの後端縁に脱着可能に結合された蓋板２５ｅとを有する後側誘導部２５が形成されている。
【００２８】
後側誘導部２５の各樋板２５ａ〜２５ｄの前端縁はケース部２０の後壁板２２にそれぞれ連接されている。
【００２９】
前側誘導部２４内および後側誘導部２５内には天入賞装置７Ａの天入賞口に落入して球入口２１を通り抜けたパチンコ球を後下方へ誘導してから一側方へ誘導し、さらに下方へ誘導する上迂回球流路２７が形成され、この上迂回球流路２７の下端には球出口２７ａが形成されている。
【００３０】
後側誘導部２５の第２樋板２５ｂの内壁面および第４樋板２５ｄの内壁面には上下方向へ喰違い状態で配列され、下方誘導通路２７内を転落するパチンコ球が衝突したときにそのパチンコ球が転落する方向を変向させてパチンコ球の転落速度を遅くする複数個の小突起２８が凸設されている。
【００３１】
球誘導樋３の下樋部材１９には上樋部材１８の下方に垂立された後壁板１９ａが形成され、この後壁板１９ａの前面の片側にはその上端縁の外端付近から後壁板１９ａの一方の側縁の下部にわたって延設されて上部が外方へ下傾した傾斜状で下部が垂直状に形成された第１樋板１９ｂと、上部が外方へ下傾した傾斜状で下部がほぼ垂直状に形成され、下部が第１樋板１９ｂの内方に並行状に設置され、中央部付近の外壁面に第１樋部１９ｂの上端部の内端縁が連接された第２樋板１９ｃと、上部が第２樋板１９ｃの上部の下方に平行状に設置されて下部が第２樋板１９ｃの下部内方に平行状に設置され、上部が傾斜状で下部がほぼ垂直状に形成された第３樋板１９ｄとがそれぞれ直交状に連接されている。
【００３２】
下樋部材１９の後壁板１９ａの前面の他方側には、その上端縁の外端付近から他方の側縁の下部にわたって設置され、上部が外方へ下傾した傾斜状で中央部および下部が垂直状に形成された第４樋板１９ｅと、上端部が垂直状で中央部付近が外方へ下傾する傾斜状に形成されて下部付近が垂直状で第４樋板１９ｅの内方に設置され、中央部付近の外壁面に第４樋板１９ｅの上部の内端縁が連接された第５樋板１９ｆと、この第５樋板１９ｆの中央部付近外壁面に上端縁が連接されて第５樋板１９ｆの下部の若干外方にほぼ垂直状に設置された第６樋板１９ｇと、上部の断面形状が傾Ｌ形状で上部の内端縁が第３樋板１９ｄの上端部の外壁面に連接され、中央部が傾斜状で第５樋板１９ｆの中央部付近の下方に平行状に設置され、下部がほぼ垂直状で第５樋板１９ｆの下部付近の内方に平行状に設置された第７樋板１９ｈとがそれぞれ直交状に連接されている。
【００３３】
下樋部材１９には後壁板１９ａの後面に前端縁が連接された状態で前下り状に傾斜した底板３０ａと、この底板３０ａの両側縁にそれぞれ連接されて底板３０ａ上に垂立され、前端縁が第４樋板１９ｅの上端部の後端縁および第７樋板１９ｈの上端部の後端縁にそれぞれ連接された左右１対の側板３０ｂと、底板３０ａの後端縁および側板３０ｂの後端縁に垂立状態で連接された後板３０ｃとを有し、後壁板１９ａの後方へ突出されて後部が上樋部材１８の下方誘導通路２７の球出口２７ａの直下に設置された球受け部３０が形成されている。
【００３４】
下樋部材１９の第１樋板１９ｂと第２樋板１９ｃの下部との間には左右入賞装置７Ｅの入賞口に落入して遊技盤１の裏面１ｂ側へ送り込まれたパチンコ球を下方へ誘導して遊技盤１の下方へ送り出す第１球流路３１が形成され、第１樋板１９ｂと第３樋板１９ｃとの間には下中入賞装置７Ｄの入賞口に落入して遊技盤１の裏面１ｂ側へ転動したパチンコ球を側方へ誘導してから下方へ誘導して遊技盤１外へ送り出す第２球流路３２が形成され、第４樋板１９ｅと第５樋板１９ｆの上部および第６樋板１９ｇとの間には下左入賞装置７Ｃの入賞口に落入して遊技盤１の裏面１ｂ側へ転動したパチンコ球を下方へ誘導して遊技盤１外へ送り出す第３球流路３３が形成されている。
【００３５】
下樋部材１９の球受け部３０内、および、第５樋板１９ｆと第７樋板１９ｈとの間には上樋部材１８の上迂回球流路２７に連通され、この上迂回球流路２７を通り抜けたパチンコ球を受入れて前下方へ誘導してから一側方へ誘導し、さらに下方へ誘導して遊技盤１外へ送り出す下迂回球流路３４が形成されている。
上下迂回球流路２７，３４は図柄表示装置２を迂回した形態に形成され、天入賞装置７Ａの天入賞口へ落入して遊技盤面１ａの上部からその裏面１ｂ側へ送り込まれたパチンコ球（セーフ球）は上下迂回球流路２７，３４によって誘導され、図柄表示装置２の前後回路基板９，１０を乗り越えて前後回路基板９，１０を迂回した状態で流下し、遊技盤１の下方へ送り出される。
【００３６】
下樋部材１９の左右部に左右対称状に形成された一対のスイッチ取付け部３９内には第２球流路３２の途中に設置された検出部を有し、下中入賞装置７Ｄ入賞口へ落入したセーフ球を検出する入賞球検出スイッチ３５と、下迂回球流路３４の途中に設置された検出部を有し、天入賞装置７Ａの天入賞口に落入して上迂回球流路２７を通り抜けたセーフ球を検出する入賞球検出スイッチ３６とが装入されている。
【００３７】
下樋部材１９の第１樋板１９ｂの上端部の前端縁および第４樋板１９ｅの上端部の前端縁にはこの両前端縁上にそれぞれ垂立されて遊技盤１の裏面に固定された左右一対の固定片１９ｉの下端縁がそれぞれ連接されている。
【００３８】
下樋部材１９の両固定片１９ｉの前面には遊技盤１の両球誘導樋用位置決め孔６内にそれぞれ嵌め込まれて下樋部材１９を遊技盤１の裏面１ｂに対して位置決めする環状の係合片３７がそれぞれ凸設されている。
【００３９】
下樋部材１９の後壁板１９ａの後面にはほぼ方形枠状に形成されて４つのＬ形状のコーナ部を有する基板取付け枠１９ｊが連接され、この基板取付け枠１９ｊには後面に多数のコネクタが取付けられて四隅部が前記各コーナ部でそれぞれ拘持された中継基板３８が垂立状態でビス止めされ、下樋部材１９の後壁板１９ａの下端縁にはほぼＬ形状に曲折されて中継基板３８のプリント回路にコネクタを介して接続されたリード線を集束して挿通するリード線挿通部１９ｋが連接されている。
【００４０】
遊技盤１の裏面１ｂの中央部付近に設置されて球誘導樋３の背後を開閉する裏カバー装置４０において、ポリプロピレン樹脂等の弾性的性能を有する合成樹脂材で成形されたカバー本体４１には遊技盤１の裏面１ｂにその一方の側縁に沿って固定された縦長状の固定部４２と、この固定部４２の内端縁の後端にその全長にわたって連接されて遊技盤１の側縁に沿って垂立され、薄肉厚で可撓性を有するヒンジ部４３と、このヒンジ部４３を介して固定部４２に前後方向への回動可能に連接されて遊技盤１の裏面１ｂに前方の回動端で解離可能に固定され、固定状態を解離したときにヒンジ部４３を回動支点として後方へ回動して球誘導樋３の背後を開放する可動部４４とが一連状に形成されている。
【００４１】
カバー本体４１の固定部４２の可動部４４側の縦端縁４７と、この縦端縁４７にヒンジ部４３を介して連接された可動部４４の固定部４２側の縦端縁４８とはスリット状の間隙を隔てて並行状に設置され、固定部４２と可動部４４との連接部には逆Ｕ形状の縦断面形状を有し、前方開放の縦溝４９が遊技盤１の裏面１ｂの側縁と平行に形成されている。
【００４２】
カバー本体４１の固定部４２には遊技盤１の裏面１ｂの後方に間隙を隔てて垂立された帯板状の基片４２ａが形成され、この基片４２ａの４周縁には前方へ若干突出された突縁４２ｂが形成されている。
【００４３】
固定部４２の基片４２ａの前面の上端部および下端部には基片４２ａの前方へ突出されて前端面が遊技盤１の裏面１ｂに当接された上下１対の第１取付け片４２ｃがそれぞれ連接され、この両第１取付け片４２ｃの後部は有底円筒状に形成され、両第１取付け片４２ｃの前部は円錐と丸棒とを上下に連接した形状に形成され、両第１取付け片４２ｃはこの両第１取付け片４２ｃに前後段差状に形成されたビス挿通孔４２ｄに挿通されたビス４６によって遊技盤１の裏面１ｂにそれぞれねじ止めされている。
【００４４】
固定部４２の両取付け片４２ｃの前端面には遊技盤１の裏面１ｂに対する固定部４２の取付け位置を規定する円錐状の位置決め突起４２ｅがそれぞれ凸設され、遊技盤１の裏面１ｂには前記ビス４６がねじ込まれた上下１対のねじ孔と、突起４２ｅが嵌挿された上下１対の位置決め孔とがそれぞれ隣り合って形成されている。
【００４５】
カバー本体４１の可動部４４の外周部には固定部４２の基片４２ａの側方に垂立されて遊技盤１の裏面１ｂの中央部の後方に間隙を隔てて設置された枠部５０が形成され、この枠部５０の内周縁には前方開放のほぼ方形箱形状に形成された覆い部５１の前端の四周縁が連接されている。
【００４６】
可動部４４の枠部５０の前面の四周縁には前方へ若干突出された突縁５０ａが形成され、枠部５０の反固定部側の端部には縦長方形板状の縦枠部５０ｂが固定部４２の基片４２ａと並行状に形成されている。
【００４７】
枠部５０の縦枠部５０ｂの前面の上下端部には固定部４２の両第１取付け片４２ｃと同様な形状を有し、遊技盤１の裏面１ｂにそれぞれビス５２によってねじ止めされた上下１対の第２取付け片５０ｃが形成され、この両取付け片５０ｃの前端面には固定部４２の位置決め突起４２ｅと同様に形成された位置決め突起がそれぞれ凸設されている。
【００４８】
枠部５０の縦枠部５０ｂの上下方向中央部には丸孔状の中孔部５５ａと、この中孔部５５の上方および下方に配設されて中孔部５５ａに連通され、中孔部５５ａの孔径より縮小された横幅を有する角孔状にそれぞれ形成さた上下１対の外孔部５５ｂとを有する通し孔５５が貫設されている。
【００４９】
通し孔５５の中孔部５５ａの孔縁には正面形状が円弧状に湾曲され、等しい突出長で後方へ突出されたストッパ部５６ａと、このストッパ部５６ａの内端に連接されてストッパ部５６ａの突出長より小さい突出長で突出長が先方へ漸減するように後方へ突出されたガイド部５６ｂとをそれぞれ有し、１８０°の回転対称状に形成された１対の抜け止め縁５６が連接されている。
【００５０】
遊技盤１の裏面１ｂに通し孔５５に対向してビス５８によって回動可能に結合されて通し孔５５の中孔部５５ａと同心状に設置された係止部材５７の前部にはビス５８が中心部に挿通された胴部５７ａが形成され、この胴部５７ａの後端には通し孔５５の中孔部５５ａの孔径より拡大された外径を有し、中孔部５５ａの孔縁を支承する支承部５７ｂが連接されている。
【００５１】
係止部材５７の後端には通し孔５５の中孔部５５ａ内に遊挿可能な外径を有し、支承部５７ｂの後端に連接された円筒状の頭部５７ｃと、この頭部５７ｃの外周面の後端に１８０°の回転対称位置で連接されて頭部５７ｃの半径方向へ突出され、外孔部５５ｂ内に遊挿可能な形状を有する１対のつまみ５７ｄとが形成されている。
【００５２】
係止部材５７を両つまみ５７ｄが上下方向に配列されるように回動した状態で、カバー本体４１の可動部４４を前方の回動端へ回動すると、係止部材５７の挿通部５７ｃが通し孔５５の中孔部５５ａ内に挿通されて係止部材５７の両つまみ５７ｄが通し孔５５の両外孔部５５ｂ内を通り抜け、通し孔５５の中孔部５５ａの孔縁が係止部材５７の支承部５７に当接する。この状態で、係止部材５７を約９０°回動させると、係止部材５７の両つまみ５７ｄが抜け止め縁５６のガイド部５６ｂに摺動して後方へ押動されながら回動してストッパ部５６ａに当接し、可動部４４が前方の回動端へ回動して球誘導樋３の背後をカバーした状態で可動部４４が係止部材５７によってロックされる。
【００５３】
この状態で、係止部材５７を約９０°復帰回動させると、両つまみ５７ｄが通し孔５５の両外孔部５５に対向する位置へ回動して両外孔部５５ｂ内への両つまみ５７ｄの通り抜けが可能となり、可動部４４に対するロック状態が解離されて後方への可動部４４の回動動作が許容される。
【００５４】
カバー本体４１の可動部４４の覆い部５１には中央部付近が若干上方へ曲折さた上板５１ａと、中央部付近が若干下方へ曲折された下板５１ｂと、上下端縁が上板５１ａおよび下板５１ｂの左右端縁にそれぞれ連接された左右１対の側板５１ｃと、上板５１ａ、下板５１ｂおよび両側板５１ｃの各後端縁に４周縁が連接され、中央部および下部に窓部５１ｆが開口された後板５１ｄとが形成され、覆い部５１は、その後端の４周縁すなわち、後板５１ｄと上板５１ａとの連接部、後板５１ｄと下板５１ｂとの連接部、後板５１ｄと両側板５１ｃとの連接部の外側面にそれぞれ丸味７６が付与されて断面形状がほぼ円弧状に湾曲した形状に形成されるとともに、覆い部５１はその後端の４つのコーナ部の外側面にそれぞれ丸味７６が付与された形状に形成されている。
【００５５】
覆い部５１の後板５１ｄの上端部の一端には角孔状に凹設された基板取付け凹部６０が形成され、この基板取付け凹部６０の４周縁には後端面が後板５１ｄの後面の若干前方に配設された段部６０ａが形成され、基板取付け凹部６０内の上内コーナ部および下外コーナ部には後端面が段部６０ａの後端面に整合された状態で段部６０ａに連接されたねじ受け部６０ｂが凸設されている。
【００５６】
基板取付け凹部６０内にはビスによって両ねじ受け部６０ｂにねじ止めされて後面に複数個のコネクタ６２が取付けられた中継基板６１が埋込み状に設置され、この中継基板６１の後面は後板５１ｄの後面にほぼ整合されている。
【００５７】
覆い部５１の両側板５１ｃの外側面の下部にはこの外側面に連接されて断面形状が縦長のコ形状に形成された各１対の上下保持片５１ｅがそれぞれ凸設され、この各対の上下保持片５１ｅ内には縦長の第１挿通部６３がそれぞれ貫通状に形成され、各対の上下保持部５１ｅ間には第１挿通部６３の長さより短縮された長さを有する第２挿通部６４がそれぞれ形成され、両側板５１ｃの各対の上下保持部５１ｅの後部間には前方が切除された掛止縁６５がそれぞれ垂直状に形成されている。
【００５８】
覆い部５１の後側に設置され、内部に制御基板が収容された浅箱状の収容部材６６ａと、この収容部材６６ａに取外し可能に結合されて制御基板の背後をカバーするカバー部材６６ｂとを有する基板ボックス６６を両持状に支持する左右１対の基板ボックスホルダ６７は覆い部５１の各対の上下保持片５１ｅによって拘持された状態で覆い部５１の両側板５１ｃにそれぞれ取外し可能に結合されている。
【００５９】
両基板ボックスホルダ６７の前部には覆い部５１の第１挿通部６３内に挿脱可能に嵌め込まれた上下１対の結合片６７ａと、この両結合片６７ａ間に間隙を隔てて設置され、第２挿通部６４内に挿脱可能に嵌め込まれた中結合片６７ｂとがそれぞれ形成され、各結合片６７ａ，６７ｂはその前端縁が整合された状態で上下方向へ配列されている。
【００６０】
両基板ボックスホルダ６７の中結合片６７ａの前端には前記掛止縁６５に掛脱される爪部６８がそれぞれ突出形成されている。
【００６１】
両基板ボックスホルダ６７の後部には斜め後方へ傾斜状に突出された第１アーム部６７ｄと、基板ボックスホルダ６７の上下方向の中央部付近で後方へ突出された第２アーム部６７ｅと、後方へ水平状に突出された第３アーム部６７ｆとがそれぞれ形成されている。
【００６２】
第１アーム部６７ｄの後端には丸孔状の第１受け孔６９が貫設され、第２アーム部６７ｅの後端には縦長の長孔状の第２受け孔７０が貫設され、第３アーム部６７ｆの後端には丸孔状の第３受け孔７１が貫設されている。
【００６３】
両基板ボックスホルダ６７の第１〜第３受け孔６９，７０，７１の中心はそれぞれ同一垂直線上で上下方向へ配列され、第１〜第３受け孔６９，７０，７１内には基板ボックス６６の収容部材６６ａの両側面にそれぞれ等しい間隙をおいて側方へ突出された上下各１対の突片７２，７３が選択的に嵌挿される。
【００６４】
両基板ボックスホルダ６７は上下結合片６７ａが上下の第１挿通部６３内に挿入されて中結合片６７ｂが第２挿通部６４内に挿入され、爪部６８が掛止縁６５に掛止された状態で覆い部５１の両側板５１ｃにそれぞれ結合されている。
【００６５】
カバー本体４１の覆い部５１の後板５１ｄの左右部には基板ボックス６６を取付け高さを変えて両基板ボックスホルダ６７を介してカバー本体４１に結合したときに基板ボックス６６の収容部材６６ａの前面に凸設された左右１対の突起が嵌め込まれてカバー本体４１に対する基板ボックス６６の結合状態を安定化させる左右各１対の孔部７５が貫設されて縦２列に配列されている。
【００６６】
両基板ボックスホルダ６７は第１受け孔６９を第２受け孔７０の下方に配置した状態で覆い部５１の両側板５１ｃのうちの一方の側板５１ｃに結合され、また、基板ボックスホルダ６７を上下反転して裏返しにし、第１軸受け孔６９を第２受け孔７０の下方に配置した状態で他方の側板５１ｃに結合される。
【００６７】
両基板ボックスホルダ６７を第１受け孔６９が最上位に配置されるようにして両側板５１ｃに結合したときには基板ボックス６６は両上突片７２が両第１受け孔６９内にそれぞれ嵌挿されて両下突片７３が両第２受け孔７０内にそれぞれ嵌挿された最上位の状態、若しくは、両上突片７２が両第２受け孔７０内にそれぞれ嵌挿れて両下突片７３が両第３受け部７１内に嵌挿された状態で両基板ボックスホルダ６７に結合されて両基板ボックスホルダ６７によって支持される。
【００６８】
両基板ボックスホルダ６７を第１受け孔６９が最下位に配置されるようにして両側板５１ｃに結合したときには基板ボックス６６は両上突片７２が両第３受け孔７１内に嵌挿されて両下突片７３が両第２受け孔７０内に嵌挿された中間位置の状態、若しくは、両上突片７２が両第２受け孔７０内にそれぞれ嵌挿されて両下突出片７３が両第１受け孔６９内にそれぞれ嵌挿された最下位の状態で両基板ボックスホルダ６７に結合されて両基板ボックスホルダ６７によって支持される。
【００６９】
基板ボックス６６の取付け高さはこの基板ボックス６６の上方でカバー本体４０の覆い部５１に結合されるカバー部材の寸法および有無に合わせて上記４通りの高さのうちの何れかに各寸法の基板ボックス毎に選定される。
【００７０】
続いて、上記した構成をもつ実施例の作用と効果を説明する。
本例では球誘導樋３を遊技盤１の背後に設置された前後回路基板９，１０を有する図柄表示装置２をカバーした状態で遊技盤１の裏面１ｂに固定される上樋部材１８と、この上樋部材１８の下方に隣接して遊技盤１の裏面１ｂに固定される下樋部材１９とに分割し、遊技盤面１ａの上部から遊技盤１の裏面１ｂ側へ送り込まれたパチンコ球を遊技盤１の下方へ誘導する上下迂回球流路２７，３４を、パチンコ球が前後回路基板９，１０を乗り越えて流下するように上樋部材１８と下樋部材１９とにわたって前後回路基板９，１０を迂回させた形態に形成してある。
【００７１】
このため、遊技盤面１への球誘導樋３の組付けが容易となるとともに、遊技盤１の裏面側に球通路の障害物となる前後回路基板９，１０が設置されていても、遊技盤１の上部から、裏面１ｂ側へ送り込まれたセーフ球を上下樋部材１８、１９によって最短距離を経由させて的確かつ円滑に所望位置へ誘導することができ、球誘導樋３に対して図柄表示装置２の前後回路基板９，１０を覆蓋して防護する機能と、セーフ球を障害物を避けて所望位置へ誘導する機能とを併有させることができる。
【００７２】
なお、図柄表示装置の回路基板以外で遊技盤の裏面側に凸出される入賞装置の背面部やソレノイドやモータ等の駆動部材、若しくは他の球通路や樋体等の凸出物を乗り越え回避した状態で、パチンコ球が本発明の球誘導樋によって誘導されるように構成してもよい。
【００７３】
上記実施例における上下迂回球流路は遊技盤の裏面に対して垂直で角部を有する形状に形成された構成であったが、この他に迂回流路に丸味を持たせて円弧状に湾曲させたり、曲面によって入賞球を誘導するようにしてもよい。
【図面の簡単な説明】
【図１】本発明の１実施例を示す遊技盤の正面図である。
【図２】同じく、裏カバー装置の背面図である。
【図３】球誘導樋の背面図である。
【図４】上樋部材の平面図である。
【図５】下樋部材の平面図である。
【図６】図２のＸ１−Ｘ１線拡大断面図である。
【図７】図２のＸ２−Ｘ２線断面図である。
【図８】図３のＸ３−Ｘ３線拡大断面図である。
【図９】カバー本体の背面図である。
【図１０】図９のＸ４−Ｘ４線拡大断面図である。
【図１１】図２のＸ５−Ｘ５線拡大断面図である。
【図１２】係止部材付近の正面図である。
【図１３】図１２のＸ６−Ｘ６線断面図である。
【図１４】カバー本体の側面図である。
【図１５】図２のＸ７−Ｘ７線拡大断面図である。
【図１６】基板ボックスホルダ付近の分解斜視図である。
【符号の説明】
１  遊技盤
１ｂ  裏面
３  球誘導樋
８  前回路基板
９  後回路基板
１８  上樋部材
１９  下樋部材
２７  上迂回球流路
３４  下迂回球流路
【図１】
0003596900.tif 000002
【図２】
0003596900.tif 000003
【図３】
0003596900.tif 000004
【図４】
0003596900.tif 000005
【図５】
0003596900.tif 000006
【図６】
0003596900.tif 000007
【図７】
0003596900.tif 000008
【図８】
0003596900.tif 000009
【図９】
0003596900.tif 000010
【図１０】
0003596900.tif 000011
【図１１】
0003596900.tif 000012
【図１２】
0003596900.tif 000013
【図１３】
0003596900.tif 000014
【図１４】
0003596900.tif 000015
【図１５】
0003596900.tif 000016
【図１６】
0003596900.tif 000017